(57)【要約】【課題】  漏電遮断器と同じケースを用いても漏電遮断器のときよりも遮断容量を大きくすることができる回路遮断器を提供する。【解決手段】各極毎に隔離する隔壁７を有したケース１と、隔壁７に隔離された状態で各極ごとに配設された電路構成体２と、各極間に跨がって配設されるクロスバー３とを備え、電路構成体２は、一対の入出力端子８、９と、固定接点１０と、可動接点１１を有する可動接触子１２と、裸電線１３とを有し、隔壁７は、裸電線１３の箇所をケース１の底面から上面側にかけて切除する零相変流器配置用の切除部１６を有し、かつ、この切除部１６に各極間を隔離する隔離部材６を取着し、隔離部材６は、各裸電線１３の位置よりも上面側に、各極間に連通するアークガスのガス抜き部３３を形成している。【選択図】        図１
2005209512.tif 000002
【特許請求の範囲】
【請求項１】
各極毎に隔離する隔壁を有したケースと、前記隔壁に隔離された状態で各極ごとに配設された電路構成体と、各極間に跨がって配設されるクロスバーとを備え、
前記電路構成体は、一対の入出力端子と、前記入出力端子の一方に接続された固定接点と、この固定接点に接離自在に対向する可動接点を有し前記クロスバーに連動する可動接触子と、この可動接触子および前記入出力端子の他方を接続する導電部とを有し、
前記隔壁は、前記導電部の箇所を前記ケースの底面から上面側にかけて切除する零相変流器配置用の切除部を有し、かつ、この切除部に各極間を隔離する隔離部材を取着した回路遮断器において、
前記隔離部材は、各導電部の位置よりも前記上面側に、各極間に連通するアークガスのガス抜き部を形成したことを特徴とする回路遮断器。
【請求項２】
前記隔離部材は、前記切除部を通して各極間に跨って前記ケースの底面に配設される底板と、この底板に連設されて前記切除部に配設される隔離板とを有し、前記ガス抜き部は前記隔離板に形成された請求項１記載の回路遮断器。
【発明の詳細な説明】
【技術分野】
【０００１】
本発明は、漏電遮断器としても同一のケースを使用することが可能な配線用遮断器等の回路遮断器に関するものである。
【背景技術】
【０００２】
従来例として、特許文献１に示すものが存在する。このものは、各極毎に隔離する隔壁を有したケースに、電路構成体、すなわち入出力端子の一方に接続される固定接点と、この固定接点に接離自在に対向する可動接点を有した可動接触子と、この可動接触子および入出力端子の他方を接続する導体および裸電線とを、各極毎に隔壁で隔離した状態で配設している。
【０００３】
各可動接触子は各極間に跨って配設されるクロスバーにて連動させる。また、前記導体の位置に対応する隔壁の一部を底面から上面側にかけて切除する切除部を形成し、この切除部に各極に跨るセンサケースを配設し、このセンサケース内に零相変流器を配設している。
【０００４】
この零相変流器は各極の前記導体を絶縁分離体で分離させており、これら絶縁分離体とセンサケースとで切除部において各極を完全に絶縁している。
【特許文献１】特開平8−321245号公報
【発明の開示】
【発明が解決しようとする課題】
【０００５】
近年、部品の共通化を図って、漏洩電流でトリップさせる機能がない配線用遮断器にあっても、漏電遮断器で使用するケースをそのまま使用することが成されている。この場合、零相変流器内に導体を貫通させる必要がないので、各極の可動接触子と入出力端子の他方とを例えば裸電線で接続するが、センサケースも必要ではないので、切除部に隔離部材を配設して各極の絶縁を図っている。
【０００６】
しかしながら、配線用遮断器を漏電遮断器と同じケースで構成しているので、漏電遮断器と同じ遮断容量となってしまい、それ以上の遮断容量にすることが困難であった。例えば遮断容量を大にすると、アークガスによるガス圧で隔壁が破壊されるおそれがある。
【０００７】
本発明は、上記課題に鑑みて発明されたものであり、その目的は、漏電遮断器と同じケースを用いても漏電遮断器のときよりも遮断容量を大きくすることができる回路遮断器を提供することにある。
【課題を解決するための手段】
【０００８】
この発明の回路遮断器は、各極毎に隔離する隔壁を有したケースと、前記隔壁に隔離された状態で各極ごとに配設された電路構成体と、各極間に跨がって配設されるクロスバーとを備え、
前記電路構成体は、一対の入出力端子と、前記入出力端子の一方に接続された固定接点と、この固定接点に接離自在に対向する可動接点を有し前記クロスバーに連動する可動接触子と、この可動接触子および前記入出力端子の他方を接続する導電部とを有し、
前記隔壁は、前記導電部の箇所を前記ケースの底面から上面側にかけて切除する零相変流器配置用の切除部を有し、かつ、この切除部に各極間を隔離する隔離部材を取着した回路遮断器において、
前記隔離部材は、各導電部の位置よりも前記上面側に、各極間に連通するアークガスのガス抜き部を形成したことを特徴とするものである。
【０００９】
上記構成において、前記隔離部材は、前記切除部を通して各極間に跨って前記ケースの底面に配設される底板と、この底板に連設されて前記切除部に配設される隔離板とを有し、前記ガス抜き部は前記隔離板に形成されたものである。
【発明の効果】
【００１０】
この発明の回路遮断器によれば、漏電遮断器と配線用遮断器とで同一のケース（ボディ）を用いるために、隔壁の一部に切除部を形成している。つまり、切除部に跨って零相変流器を配設した場合には漏電遮断器として使用し、切除部に隔離部材を取着したときには零相変流器を外した配線用遮断器として使用することができる。このとき、切除部を隔離部材により、単に各極間を隔離する隔壁同様、すべて隔離してしまうと各極のアークガスによるガス圧で隔壁、特に最外の隔壁が膨張し、時には破壊されてしまう恐れがある。これに対して本発明によれば、アークガスによるガス圧が発生してもガス抜き部を通して隣合う極に分散されてしまい、隔壁が破壊されにくくなる。すなわち、各極は１２０度位相がずれた電流が流れているので、第１極が最大電流であっても他の極は最大電流ではないので、例えば３極で３極分最大のガス圧が発生することはない。従って同じケースでありながら漏電遮断器で使用する場合と比べて遮断容量を大きくすることができる。
【００１１】
また、隔離部材を底板と隔離板により形成すると、隔離部材を各極の切除部に一度に配設することができ、配設し易いものとなる。
【発明を実施するための最良の形態】
【００１２】
この発明の回路遮断器は、ケース１と、電路構成体２と、クロスバー３と、開閉・トリップ機構４と、電流検出手段５と、隔離部材６を有する。
【００１３】
ケース１は各極毎に隔離する隔壁７を有する。隔壁７はケース１の最外の隔壁７ａ間に位置し、裸電線１３の配置箇所に、底面から上面側にかけて切除する零相変流器配置用の切除部１６を有する。またケース１は上側がハンドル貫通穴４０を有するカバー１９で被覆され、隔壁７に被さって各極間を完全に隔離するとともにケース１の上面を形成している。
【００１４】
電路構成体２は隔壁７に隔離された状態で各極ごとに配設されている。電路構成体２は、一対の入出力端子８、９と、入出力端子８に接続された固定接点１０と、この固定接点１０に接離自在に対向する可動接点１１を有しクロスバー３に連動する可動接触子１２と、この可動接触子１２および入出力端子９を接続する導電部、例えば可撓電線を用いた裸電線１３とで構成されている。入出力端子８、９には接続導体１４、１５が接続されている。
【００１５】
クロスバー３は各極間に跨がって配設される。実施の形態では隔壁７に切欠によりクロスバー支持部２２を形成し、クロスバー３を回動自在に支持させている。クロスバー３は可動接触子１２の後端部を貫通させて保持する収納部２７を有する。収納部２７に可動接触子１２の後端部を収納し接圧ばね２４で可動接点１１が固定接点１０に接触する方向に付勢している。そして可動接触子１２の後端部に裸電線１３の一端を接続している。このクロスバー３はその上側に配設された開閉・トリップ機構４に連結され、カバー１９のハンドル貫通穴４０より突出した、開閉・トリップ機構４のハンドル２５のオンオフ操作でクロスバー３を回動し、可動接触子１２を開閉する。また開閉・トリップ機構４は可動接触子１２のオン状態で過大な電流を検出する電流検出手段５の動作によりトリップ動作し、可動接触子１２を強制開極する。なお、電流検出手段５は過電流を検出するバイメタル５ａと短絡電流を検出する磁気吸引板５ｂとで構成され、これらの動作により連動バー３０を回動し、開閉・トリップ機構４のラッチリンク３１を作動させトリップ動作している。
【００１６】
隔離部材６は切除部１６に取着され各極間を隔離する。隔離部材６は、切除部１６における各裸電線１３の位置よりも上面側に、各極間に連通するアークガスのガス抜き部３３を形成している。すなわち裸電線１３の方がガス抜き部３３よりも下側にあるため各極の裸電線１３間の絶縁は確保されている。実施の形態において、隔離部材６は、切除部１６を通して各極間に跨ってケース１の底面に平行に配設される底板３４と、この底板３４に連設されて切除部１６に配設される隔離板３５とを有し、ガス抜き部３３は隔離板３５に形成されている。
【００１７】
図１はオン状態である。可動接触子１２の可動接点１１が固定接点１０に接触し接圧ばね２４により接点圧を付与している。ハンドル２５は図１で左側に倒れており、その状態から右側に倒すと開閉・トリップ機構４がオン状態からオフ駆動し、これによりクロスバー３が回動し、可動接触子１２がオフ動作する。
【００１８】
図２は短絡または過電流による開閉・トリップ機構４のトリップ動作の状態を示している。すなわち電流検出手段５の動作により、開閉・トリップ機構４がトリップ動作し、これによりクロスバー３が回動し、可動接触子１２がオフ動作し、ハンドル２５が中立姿勢となる。この強制開極により、可動接点１１と固定接点１０間に発生したアークによるアークガスにより、隔壁７に囲まれた電路構成体２のある電路空間のガス圧が膨張する。この場合、各極ともに強制開極しているが、図４に示すように例えばＲ相で最大電流でも他の相Ｓ、Ｔは最大ではなく、回路遮断器において３相分の最大のガス圧が同時にはかからない。このため、最大のガス圧がかかる電路空間ではガス抜き部３３より隣の極および他の極にガスが放出され、アークガスによるガス圧が高圧にならないので隔壁７が破壊されにくくなる。
【図面の簡単な説明】
【００１９】
【図１】この発明の一実施の形態のオン状態の回路遮断器の概略断面図である。
【図２】トリップ状態の回路遮断器の概略断面図である。
【図３】ケースとカバーと隔離部材を示す斜視図である。
【図４】Ｒ相、Ｓ相およびＴ相の電流波形図である。
【符号の説明】
【００２０】
１    ケース
２    電路構成体
３    クロスバー
４    開閉・トリップ機構
５    電流検出手段
６    隔離部材
７    隔壁
８    入出力端子
９    入出力端子
１０    固定接点
１１    可動接点
１２    可動接触子
１３    裸電線
１６    切除部
３３    ガス抜き部
３４    底板
３５    隔離板
【図１】
2005209512.tif 000003
【図２】
2005209512.tif 000004
【図３】
2005209512.tif 000005
【図４】
2005209512.tif 000006